(57)【要約】【課題】小型かつ信頼性の高いレンズ鏡筒を提供する。【解決手段】レンズ鏡筒は、回転駆動されるカム環と、光軸方向に直進案内されるようにカム環の外周に設けられ、最も被写体側のレンズ群を保持するレンズ枠と、レンズ枠の外周に設けられてレンズバリアを保持するバリア筒とを有し、カム環の外周面には、レンズ枠に設けられたカムピンと係合するレンズ枠用カム溝、および、バリア筒に設けられたカムピンと係合するバリア筒用カム溝が設けられ、レンズ枠には、バリア筒に設けられたカムピンが挿通するように光軸方向に沿った切り欠き溝が設けられ、切り欠き溝の像面側端部には、切り欠き溝を橋渡しする部位が設けられ、部位は、光軸方向と直交する径方向においてバリア筒のカムピンよりも外側に配置され、かつ、光軸方向においてバリア筒のカムピンと重なるように配置されている。【選択図】図１
2014106264.tif 000002
【特許請求の範囲】
【請求項１】
回転駆動されるカム環と、
光軸方向に直進案内されるように前記カム環の外周に設けられ、最も被写体側のレンズを保持するレンズ枠と、
前記レンズ枠の外周に設けられてレンズバリアを保持するバリア筒と、を有し、
前記カム環の外周面には、前記レンズ枠のカムピンと係合するレンズ枠用カム溝、および、前記バリア筒のカムピンと係合するバリア筒用カム溝が設けられ、
前記レンズ枠には、前記バリア筒のカムピンが挿通するように前記光軸方向に沿った切り欠き溝、および、該切り欠き溝を像面側で終端させる端部が設けられ、
前記レンズ枠の前記端部は、前記光軸方向と直交する径方向において、前記バリア筒のカムピンよりも外側であって該バリア筒のカムピンと重なるように配置されている、ことを特徴とするレンズ鏡筒。
【請求項２】
前記バリア筒のカムピンと前記レンズ枠のカムピンは、前記光軸方向と直交する面内において、互いに異なる位相に配置されていることを特徴とする請求項１に記載のレンズ鏡筒。
【請求項３】
前記バリア筒のカムピンは、該バリア筒の減肉部に設けられており、
前記レンズ枠の前記端部は、前記径方向において前記バリア筒の前記減肉部と重なっていることを特徴とする請求項１または２に記載のレンズ鏡筒。
【請求項４】
前記レンズ鏡筒は、沈胴状態と繰り出し状態との間で移動可能に構成されていることを特徴とする請求項１乃至３のいずれか１項に記載のレンズ鏡筒。
【請求項５】
前記レンズ枠には、該レンズ枠のカムピンの前記被写体側に、前記繰り出し状態において前記バリア筒からの衝撃を受ける衝撃受け面が設けられていることを特徴とする請求項４に記載のレンズ鏡筒。
【請求項６】
請求項１乃至５のいずれか１項に記載のレンズ鏡筒を有することを特徴とする撮像装置。
【発明の詳細な説明】
【技術分野】
【０００１】
本発明は、レンズ鏡筒に関し、特にバリア筒を備えたレンズ鏡筒に関する。
【背景技術】
【０００２】
従来から、沈胴状態と繰り出し状態との間で移動可能な沈胴式レンズ鏡筒が知られている。このようなレンズ鏡筒は、回転するカム環によって最も被写体側に位置する第一レンズ群の沈胴および繰り出しを行う。またレンズ鏡筒は、第一レンズ群の前方に位置し、沈胴状態でレンズを覆い撮影状態（繰り出し状態）でレンズを露出するレンズバリアを備えている。
【０００３】
特許文献１には、カム環と、カム環の外周に位置し光軸方向に直進案内された第１レンズ群枠、および、第１レンズ群枠の外周に位置してレンズバリアを備えた遮光飾り筒を有するズームレンズの鏡筒構造が開示されている。このズームレンズの鏡筒構造は、カム環の外周面に形成され、第１レンズ群枠に設けられたカムフォロアと係合するレンズ群枠用カム溝、および、遮光飾り筒に設けられたカムフォロアと係合する飾り筒用カム溝を有する。遮光飾り筒のカムフォロアは、第１レンズ群枠に形成された光軸と平行な直進案内溝を通って飾り筒用カム溝に係合している。また、レンズ群枠用カム溝と飾り筒用カム溝は、ズームレンズの撮影領域において、第１レンズ群枠と遮光飾り筒を同一の軌跡で光軸方向に移動させる形状を有する。これにより、第一レンズ枠と遮光飾り筒の沈胴状態から繰り出し状態までのカム軌跡を異ならせることができるため、レンズバリアが開いた後にレンズバリアの配置スペースまで第一レンズ群を繰り出すことが可能である。
【先行技術文献】
【特許文献】
【０００４】
【特許文献１】特開２００４−２５８６４６号公報
【発明の概要】
【発明が解決しようとする課題】
【０００５】
しかしながら、特許文献１に開示された鏡筒構造では、第一レンズ群枠の直進案内溝よりも像面側に第一レンズ群枠のカムフォロアが形成されている。また、カム環の外周に形成された第一レンズ群枠のカム溝と遮光飾り筒のカム溝が光軸方向に並んで設けられている。このため、第一レンズ鏡筒とカム環の光軸方向の長さが長くなり、カメラの沈胴長が伸びてしまう。
【０００６】
また、レンズ鏡筒の外径を小型化するためには、遮光飾り筒の肉厚を薄くすることが有効である。しかし、遮光飾り筒の肉厚を薄くすると変形しやすくなり、レンズ鏡筒に外力が掛かった場合に力を受ける遮光飾り筒のカムフォロアは、カム溝との係合が外れやすくなる。
【０００７】
そこで本発明は、小型かつ信頼性の高いレンズ鏡筒および撮像装置を提供する。
【課題を解決するための手段】
【０００８】
本発明の一側面としてのレンズ鏡筒は、回転駆動されるカム環と、光軸方向に直進案内されるように前記カム環の外周に設けられ、最も被写体側のレンズ群を保持するレンズ枠と、前記レンズ枠の外周に設けられてレンズバリアを保持するバリア筒とを有し、前記カム環の外周面には、前記レンズ枠に設けられたカムピンと係合するレンズ枠用カム溝、および、前記バリア筒に設けられたカムピンと係合するバリア筒用カム溝が設けられ、前記レンズ枠には、前記バリア筒に設けられたカムピンが挿通するように前記光軸方向に沿った切り欠き溝が設けられ、前記切り欠き溝の像面側端部には、前記切り欠き溝を橋渡しする部位が設けられ、前記部位は、前記光軸方向と直交する径方向において前記バリア筒のカムピンよりも外側に配置され、かつ、該光軸方向において前記バリア筒のカムピンと重なるように配置されている。
【０００９】
本発明の他の側面としての撮像装置は、前記レンズ装置を有する。
【００１０】
本発明の他の目的及び特徴は、以下の実施例において説明される。
【発明の効果】
【００１１】
本発明によれば、小型かつ信頼性の高いレンズ鏡筒および撮像装置を提供することができる。
【図面の簡単な説明】
【００１２】
【図１】本実施例におけるレンズ鏡筒を構成する第１レンズ群およびバリア筒の分解斜視図である。
【図２】本実施例におけるレンズ鏡筒（鏡筒ユニット）の分解斜視図である。
【図３】本実施例におけるレンズ鏡筒の撮影状態（繰り出し状態）を示す断面図である。
【図４】本実施例におけるレンズ鏡筒の沈胴状態を示す断面図である。
【図５】本実施例における撮像装置の外観斜視図である。
【発明を実施するための形態】
【００１３】
以下、本発明の実施例について、図面を参照しながら詳細に説明する。各図において、同一の部材については同一の参照番号を付し、重複する説明は省略する。
【００１４】
まず、図１乃至図４を参照して、本実施例におけるレンズ鏡筒の構成について説明する。図１は、レンズ鏡筒１の第１レンズ群１００およびバリア群１５０の分解斜視図である。図２は、レンズ鏡筒１（鏡筒ユニット）の分解斜視図である。図３は、レンズ鏡筒１の撮影状態（繰り出し状態）を示す断面図である。図４は、レンズ鏡筒１の沈胴状態を示す断面図である。
【００１５】
第１レンズ群１００は、第１レンズ１０１、および、第１レンズ１０１を保持する円筒状の第１レンズ枠１０２を備えて構成される。第１レンズ枠１０２は、光軸ＯＡの方向（光軸方向）に直進案内されるようにカム筒６０１の外周に設けられ、最も被写体側のレンズ（第１レンズ１０１）を保持するレンズ枠である。第１レンズ枠１０２の内周面には、径方向の内側に突出するとともに内周方向に等角度の間隔で配置されたカムピン１０２ａ、および、第１レンズ群１００を回転規制するキー溝（不図示）が設けられている。また、第１レンズ枠１０２の外周面には、第１レンズ枠１０２の円筒部を光軸ＯＡの方向（光軸方向）に切り欠くように、バリア群を回転規制するキー溝１０２ｃが等角度の間隔で設けられている。なお本実施例において、カムピン１０２ａと第１レンズ枠１０２は互いに別の部材で構成されているが、これに限定されるものではない。カムピン１０２ａを第１レンズ枠１０２と一体的に構成してもよい。
【００１６】
バリア群１５０は、バリア筒１５１、バリアドライブリング１５２、バリア開きばね１５３、バリア主羽根１５４、バリア副羽根１５５、キャップテープ１５６、および、キャップ１５７を備えて構成される。バリア筒１５１は、第１レンズ枠１０２の外周に設けられてレンズバリア（バリアドライブリング１５２、バリア開きばね１５３、バリア主羽根１５４、バリア副羽根１５５、キャップテープ１５６、および、キャップ１５７）を保持する。
【００１７】
キャップ１５７は、キャップテープ１５６により、バリア筒１５１の被写体側に取り付けられる。バリア筒１５１の内周面には、径方向の内側に突出するとともに内周方向に等角度の間隔で配置されたカムピン１５１ａが設けられている。また、カムピン１５１ａの根元部には、バリア群１５０を回転規制する直進キー１５１ｂが設けられている。直進キー１５１ｂは、第１レンズ枠１０２のキー溝１０２ｃと嵌合し、直進ガイドされる。
【００１８】
第２レンズ群２００は、第２レンズ２０１、および、第２レンズ２０１を保持する円筒状の第２レンズ枠２０２を備えて構成される。第２レンズ枠２０２の外周面には、径方向の外側に突出するとともに外周方向に等角度の間隔で配置されたカムピン２０２ａ、および、第２レンズ群２００を回転規制する直進キー２０２ｂが設けられている。
【００１９】
第３レンズ群３００は、３群ベース３０３の結像面側に、光量調整部材であるシャッター羽根３１０、ＮＤフィルター３１２、セパレートシート３１１、シャッターカバー３１３、および、シャッターＡｃｔ（不図示）を備えて構成される。また第３レンズ群３００は、３群ベース３０３の被写体側に、第３レンズ３０１および第３レンズ枠３０２を備えて構成される。また被写体側に、第３レンズ群３００は、ＩＳコイル３０４、ＩＳボール３０５、ＩＳばね３０６、キャップ３０７、ＩＳホルダー３０８、ＦＰＣ３０９、および、ＦＰＣ３０９に固定されたＩＳセンサー３１６を備えて構成される。
【００２０】
第３レンズ枠３０２は、第３レンズ３０１を保持するとともに被写体側の光量を規制するキャップ３０７が取り付けられる。また第３レンズ枠３０２は、ＩＳマグネット３１５を保持し、ＩＳボール３０５およびＩＳばね３０７の作用により３群ベース３０３に移動可能に保持される。また第３レンズ枠３０２は、ＩＳコイル３０４およびＩＳマグネット３１５の作用により発生する駆動力に基づいて任意の位置へ移動し、ＩＳセンサー３１６により位置制御される。
【００２１】
第１レンズ枠１０２の内側には、カム筒６０１（カム環）に回動自在かつ直進プレート６０４に回転規制されつつ、第１レンズ群１００、第２レンズ群２００、および、第３レンズ群３００の回転を規制して光軸方向に直進案内する直進筒６０２が設けられている。カム筒６０１は、回転駆動可能に構成されている。直進筒６０２の外周面には、直進プレート６０４の直進キー６０４ａと嵌合するとともに回転規制するためのキー溝６０２ｄを備えており、被写体側には第１レンズ枠１０２のキー溝１０２ｂと嵌合する直進キー６０２ａを備えている。また、直進筒６０２の内周面には、第２レンズ枠２０２の直進キー２０２ｂを回転規制するための貫通したキー溝６０２ｂ、３群ベース３０３の直進キー３０３ｂを回転規制するための貫通したキー溝６０２ｃが等角度間隔で配置されている。直進筒６０２の結像面側には、有害光を遮断する遮光板６０３が取り付けられる。直進筒６０２の外周面は、カム筒６０１の内面と嵌合し、カム筒６０１とバヨネット結合することにより、カム筒６０１と相対的に回転可能に保持される。
【００２２】
直進プレート６０４には、光軸方向に伸びた直進筒６０２のキー溝６０２ｄと嵌合する直進キー６０４ａ、カバー筒５０３のキー溝５０３ｂと嵌合する直進キー６０４ｂが備えられている。また直進プレート６０４は、カムカバー５０１とバヨネット結合することにより、カムかバー５０１と相対的に回転可能に保持される。また直進プレート６０４の円弧上の外周部には、固定筒７０１の内周面に設けられたキー溝７０１ａと嵌合して直進規制される直進キー６０４ｃが等角度間隔で設けられている。
【００２３】
カム筒６０１の外周部には、直進プレート６０４に回転規制され、カムカバー５０１により光軸方向に進退するカバー筒５０３が配置されている。カバー筒５０３の内周面には、直進プレート６０４の直進キー６０４ｂと嵌合するキー溝５０３ｂが設けられている。またカバー筒５０３の外周面には、径方向の外側に突出するとともにカムカバー５０１の内面に設けられたカム溝５０１ｂに挿入され、外周方向に等角度の間隔で設けられたカムピン５０３ａが設けられている。カバー筒５０３の被写体側には、カバー筒５０３の補強と装飾を兼ねるカムカバーリング５０４が取り付けられる。
【００２４】
カムカバー５０１の外周面には、径方向の外側に突出するとともに固定筒７０１の内周面に設けられたカム溝７０１ｂに挿入され、外周方向に等角度の間隔で設けられたカムピン５０１ａが設けられている。またカムカバー５０１の外周面には、第５ギアと連結するギア部５０１ｃが設けられている。カムカバー５０１の内周面には、カバー筒５０３のカムピン５０３ａが挿入されるカム溝５０１ｂが等角度の間隔で設けられており、また、カム筒６０１の回転キー６０１ｅと嵌合するキー溝５０１ｄが設けられており。またカムカバー５０１の被写体側には、カムカバー５０１の補強と装飾を兼ねるカム筒リング５０２が取り付けられる。
【００２５】
カム筒６０１の内周面には、第２レンズ枠２０２のカムピン２０２ａが挿入されるカム溝６０１ｃ、および、３群ベース３０３のカムピン３０３ａが挿入されるカム溝６０１ｄがそれぞれ等角度の間隔で設けられている。カム筒６０１の外周面には、第１レンズ枠１０２のカムピン１０２ａが挿入されるカム溝６０１ａ、バリア筒１５１のカムピン１５１ａが挿入されるカム溝６０１ｂが等角度の間隔で設けられている。また、カムカバー５０１のキー溝５０１ｄと嵌合する回転キー６０１ｅが設けられている。カム筒６０１は、カバー筒５０３とバヨネット結合しており、直進筒６０２、直進プレート６０４、および、カムカバー５０１の作用により、カバー筒５０３と回転可能に保持され、カムカバー５０１の作用により光軸方向へ進退する。
【００２６】
カムカバー５０１の外周には、固定筒７０１が配置される。固定筒７０１の内周面には、直進プレート６０４の直進キー６０４ａと嵌合して回転規制するキー溝７０１ａ、および、カムカバー５０１のカムピン５０１ａが挿入されるカム溝７０１ｂが、それぞれ等角度の間隔で設けられている。また固定筒７０１の被写体側には、レンズ鏡筒１の内部への異物侵入を防止する防砂シート７０４が配置される。
【００２７】
センサーホルダー７００は、第４レンズ群４００の駆動源４１０、第４レンズ群４００のメインガイド４０４、レンズ鏡筒１の駆動源７０３、駆動源７０３の動力をカムカバー５０１へ伝達するギア７１１〜ギア７１５を保持する。ギア７１１〜ギア７１４は、ギアカバー７０２によりセンサーホルダー７００に保持される。ギア７１５は、固定筒７０１およびセンサーホルダー７００により保持される。
【００２８】
第４レンズ群４００は、第４レンズ４０１および第４レンズ保持枠４０２を備えて構成される。第４レンズ群４００は、メインガイド４０４、センサーホルダー７００に設けられたサブガイド７００ａにより回転規制される。第４レンズ群４００は、駆動源４１０に設けられたスクリュー４１１と螺合し駆動源４１０の回転により光軸方向に進退するナット４１２、および、第４レンズ保持枠４０２とナット４１２とを当接させるスプリング４０３により、光軸方向に移動可能に配置される。
【００２９】
撮像素子８００をセンサーホルダー７００に固定する際、ねじ８３０で取り付けられたセンサーラバー８１０の弾性を利用して、保護ガラス８２０をセンサーホルダー７００に押しつけるように固定する。センサーホルダー７００と固定筒７０１を、ねじ８４０で固定することで、レンズ鏡筒１をユニット化している。本実施例において、レンズ鏡筒１が沈胴状態から撮影状態（繰り出し状態）に移行する場合、まず駆動源７０３の動力によりギア７１１〜７１５が回転し、続いてカムカバー５０１が回転駆動する。
【００３０】
カムカバー５０１は、固定筒７０１の内側と嵌合し、その内側に設けられたカム溝７０１ｂの作用により、光軸方向に回転しながら繰り出される。カムカバー５０１が回転すると、カム筒６０１は、カムカバー５０１、直進プレート６０４、直進筒６０２、および、カバー筒５０３の作用により、光軸方向に回転しながら繰り出される。
【００３１】
直進筒６０２は、バヨネット結合によりカム筒６０１に相対的に回転可能に保持されており、また直進プレート６０４により回転規制されている。このため直進筒６０２は、カム筒６０１が回転すると光軸方向へ直進移動しながら繰り出される。カム筒６０１にカム結合している第１レンズ群１００、バリア群１５０、第２レンズ群２００、および、第３レンズ群３００は、カム筒６０１および直進筒６０２の作用により、光軸方向に直進移動しながら繰り出される。
【００３２】
第４レンズ群４００は、駆動源４１０に設けられたスクリュー４１１およびナット４１２の作用により、光軸方向に移動可能に保持されるとともに、メインガイド４０４およびサブガイド７００ａにより回転規制されている。このため、第４レンズ群４００は、カム筒６０１の移動とは関係なく、独立して光軸方向に直進移動しながら繰り出される。
【００３３】
以上の構成により、カムカバー５０１が回転して各レンズ群が沈胴位置から被写体側に向けて繰り出すことにより、レンズ鏡筒１が沈胴状態から撮影状態（繰り出し状態）へ移行する。本実施例において、第１レンズ群１００の移動距離を、バリア群１５０の移動距離よりも長くなるようにカム溝を設定することで、バリアが退避した後のスペースに第１レンズ群１００を繰り出すことが可能になる。なお本実施例のレンズ鏡筒１において、固定筒７０１、カムカバー５０１、および、カム筒６０１の作用により、適宜相互間の距離が調整されてズーミングが行われる。
【００３４】
次に、本実施例における第１レンズ群１００およびバリア群１５０の構成について詳述する。第１レンズ枠１０２には、光軸方向に延びる切り欠き状のキー溝１０２ｃ（切り欠き溝）が設けられている。キー溝１０２ｃは、組み立て時にバリア筒１５１のカムピン１５１ａが挿通するとともに、バリア筒１５１の直進キー１５１ｂと嵌合してバリア筒１５１を回転規制する。また、第１レンズ枠１０２は、その撮像面側端部でキー溝１０２ｃを橋渡しする形状を有する部材１０２ｅ（キー溝１０２ｃを像面側で終端させる端部）によって筒としての形状と剛性を保つ。
【００３５】
バリア筒１５１のカムピン１５１ａの外周面には、減肉部１５１ｅが設けられている。バリア筒１５１の減肉部１５１ｅは、径方向において、バリア筒１５１の他の部分よりも薄く形成されている。このため、バリア筒１５１の減肉部１５１ｅは、バリア筒１５１の他の部分の径よりも小さな径となっている。レンズ鏡筒１の組立状態で、減肉部１５１ｅの減肉されたスペースに第１レンズ枠１０２の橋渡し形状を有する部材１０２ｅが配置される。第１レンズ枠１０２のフォロアピン（カムピン１０２ａ）とバリア筒１５１のフォロアピン（カムピン１５１ａ）は、互いに異なる位相に配置される。また、これらは光軸方向において重なる位置に配置される。
【００３６】
従来の構成では、キー溝１０２ｃ内に配置されるバリア筒のカムピン１５１ａよりも撮像面側に橋渡し形状を有する部材１０２ｅが形成されている。また、第１レンズ枠１０２のカムピン１０２ａが部材１０２ｅに設けられていた。一方、本実施例では、バリア筒１５１のカムピン１５１ａと光軸方向において重なる位置に部材１０２ｅを配置することができる。また、第１レンズ枠１０２のカムピン１０２ａをバリア筒１５１のカムピン１５１ａと光軸方向に重なる位置に配置可能である。このため、第１レンズ枠１０２の全長が短くなり、レンズ鏡筒１の沈胴長が短縮される。
【００３７】
また、第１レンズ枠１０２の部材１０２ｅを、バリア筒１５１の減肉部１５１ｅ内に配置し、第１レンズ枠１０２の部材１０２ｅの外径とバリア筒１５１の外径は同一径（略同一径）で形成されている。このため、レンズ鏡筒１の外径を大きくすることなく、部材１０２ｅをバリア筒１５１のカムピン１５１ａの外側でかつ光軸方向に重なる位置に配置することができる。
【００３８】
本実施例において、第１レンズ枠１０２のカムピン１０２ａが設けられた位相に、バリア筒１５１の衝撃受け面１５１ｆおよび第１レンズ枠１０２の衝撃受け面１０２ｆが設けられている。バリア筒１５１と第１レンズ枠１０２は、撮影状態で光軸方向に相対移動するが、撮影状態において衝撃受け面１５１ｆ、１０２ｆ同士が特に接近するよう構成される。
【００３９】
撮影状態においてレンズ鏡筒１を備えた撮像装置が落下し、または衝撃などの外力を受けた場合、最も被写体側に位置するバリア筒１５１に押し込み方向の強い力が加わる。バリア筒１５１に押し込み方向の外力が加わると、カムピン１５１ａとカム溝６０１ａとの係合が外れる方向にバリア筒１５１の全体が変形する。この変形量がカムピン１５１ａとカム溝６０１ａの係合深さを超えると、係合が外れてレンズ鏡筒１が破損する可能性がある。
【００４０】
そこで本実施例のレンズ鏡筒１では、バリア筒１５１のカムピン１５１ａの外周側に、第１レンズ枠１０２の部材１０２ｅが配置されている。このため、バリア筒１５１が外力を受けて、カムピン１５１ａがカム溝６０１ａから外れる方向に変形すると、カムピン１５１ａの外周側が第１レンズ枠１０２の部材１０２ｅに当接し、さらなる変形を低減するように作用する。従って本実施例によれば、落下や衝撃に対して破損しにくいレンズ鏡筒１を提供することができる。
【００４１】
また、第１レンズ枠１０２のカムピン１０２ａと略同一の位相に第１レンズ枠１０２の衝撃受け面１０２ｆとバリア筒１５１の衝撃受け面１５１ｆが設けられている。撮影状態（繰り出し状態）では、衝撃受け面同士が接近しているため、撮影状態での落下、衝撃によってバリア筒が変形すると、衝撃受け面同士が当接する。衝撃受け面は第１レンズ枠のカムピン１０２ａの直上に設けられているため、バリア筒１５１が像面側に押し込まれる力を第１レンズ枠のカムピン１０２ａに効率的に伝達する。従ってバリア筒１５１に加わる外力をバリア筒のカムピン１５１ａと第１レンズ枠のカムピン１０２ａの両方で支えることになり、落下、衝撃に対してさらに破損しにくいレンズ鏡筒となる。
【００４２】
従来、第１レンズ枠１０２のキー溝１０２ｃを橋渡しする形状を有する部位がバリア筒のカムピンよりも像面側に形成されていた。一方、本実施例では、橋渡し形状を有する部材１０２ｅがバリア筒１５１のカムピン１５１ａと光軸方向に重なる位置に形成されている。このため、第１レンズ枠１０２の光軸方向の長さを短くすることができる。これにより、レンズ鏡筒１の沈胴長を短縮し、より薄型の撮像装置を提供することが可能である。
【００４３】
また従来、撮影状態において撮像装置が落下や衝撃などの外力を受けた場合、バリア筒のカムピンがカム溝から外れる方向に変形するのを防止する部品が無かった。一方、本実施例では、バリア筒１５１のカムピン１５１ａの外周に第１レンズ枠１０２の橋渡し形状を有する部材１０２ｅが形成されており、部材１０２ｅがバリア筒１５１のフォロアピン１５１ａのカム溝６１０ａからの外れを防止する。このため、落下や衝撃などの外力を受けてもバリア筒１５１のカムピン１５１ａがカム溝６０１ａから外れにくい。
【００４４】
また従来、落下や衝撃などでバリア筒１５１が受ける外力を第１レンズ枠１０２に分散する構成を有していなかった。一方、本実施例では、第１レンズ枠１０２のカムピン１０２ａの直上に衝撃受け面１５１ｆ、１０２ｆを設けることで、落下や衝撃などの外力をバリア筒１５１と第１レンズ枠１０２の両方に分散して受けることが可能である。このため、落下や衝撃に対して更に破損しにくいレンズ鏡筒を提供することができる。
【００４５】
次に、図５を参照して、本実施例におけるレンズ鏡筒１を備えた撮像装置の概略について説明する。図５は、本実施例における撮像装置１０（デジタルカメラ）の外観斜視図である。図５に示されるように、撮像装置１０は、撮像装置本体１１と撮像装置本体１１に取り付けられたレンズ鏡筒１とを備えて構成される。撮像装置１０の正面には、被写体の構図を決定するファインダ対物レンズ１７、測光動作や測距動作を行う際の光源の補助を行う補助光手段１２、ストロボ１３、および、レンズ鏡筒１（レンズ装置）が設けられている。また、撮像装置本体１１の上面には、レリーズボタン１４、ズーム切換えスイッチ１５、および、電源切換えボタン１６が設けられている。また本実施例において、レンズ鏡筒１は、沈胴状態と繰り出し状態（撮影状態）との間で移動可能に構成されている。
【００４６】
以上のとおり、レンズ鏡筒１は、カム筒６０１（カム環）、カム筒６０１の外周に設けられて最も被写体側のレンズ（第１レンズ１０１）を保持するレンズ枠（第１レンズ枠１０２）、および、レンズ枠の外周に設けられてレンズバリアを保持するバリア筒を有する。カム筒６０１の外周面には、第１レンズ枠１０２のカムピン１０２ａと係合するレンズ枠用カム溝（カム溝６０１ａ）、および、バリア筒１５１のカムピン１５１ａと係合するバリア筒用カム溝（６０１ｂ）が設けられている。また第１レンズ枠１０２には、バリア筒１５１のカムピン１５１ａが挿通するように光軸方向に沿った切り欠き溝（キー溝１０２ｃ）、および、キー溝１０２ｃを像面側で終端させる端部（部材１０２ｅ）が設けられている。そして第１レンズ枠１０２の部材１０２ｅは、光軸方向と直交する径方向において、バリア筒１５１のカムピン１５１ａよりも外側であってバリア筒１５１のカムピン１５１ａと重なるように配置されている。すなわち、部材１０２ｅとカムピン１５１ａは、図３および図４の上下方向に重なるように配置されている。
【００４７】
好ましくは、バリア筒１５１のカムピン１５１ａと第１レンズ枠１０２のカムピン１０２ａは、光軸方向と直交する面内において、互いに異なる位相に配置されている。また好ましくは、バリア筒１５１のカムピン１５１ａは、バリア筒１５１の減肉部１５１ｅに設けられており、第１レンズ枠１０２の部材１０２ｅは、径方向においてバリア筒１５１の減肉部１５１ｅと重なっている。また好ましくは、第１レンズ枠１０２には、第１レンズ枠１０２のカムピン１０２ａの被写体側に、繰り出し状態においてバリア筒１５１からの衝撃を受ける衝撃受け面１５１ｆが設けられている。
【００４８】
このように本実施例のレンズ鏡筒は、第１レンズ枠とカム環との間の光軸方向の長さを短くし、かつ、外力が掛かっても第１レンズ枠およびバリア筒のそれぞれのカムフォロア（カムピン）がカム環のカム溝から外れにくいように構成されている。このため本実施例によれば、小型かつ信頼性の高いレンズ鏡筒および撮像装置を提供することができる。
【００４９】
以上、本発明の好ましい実施形態について説明したが、本発明はこれらの実施形態に限定されず、その要旨の範囲内で種々の変形及び変更が可能である。
【符号の説明】
【００５０】
１：レンズ鏡筒
１０１：第１レンズ
１０２：第１レンズ枠
１０２ａ：カムピン
１０２ｃ：キー溝
１０２ｅ：部材
１５１：バリア筒
１５１ａ：カムピン
６０１：カム筒
６０１ａ、６０１ｂ：カム溝
【図１】
2014106264.tif 000003
【図２】
2014106264.tif 000004
【図３】
2014106264.tif 000005
【図４】
2014106264.tif 000006
【図５】
2014106264.tif 000007
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
回転駆動されるカム環と、
前記カム環の外周に設けられ、レンズを保持するレンズ保持筒と、
レンズバリアを保持するバリア筒と、を有し、
前記バリア筒には、筒部及び前記筒部から像面側に伸びた第１の突起部及び前記カム環のカム係合部に係合するカム係合部を有し、
前記レンズ保持筒には、筒部及び前記筒部から像面側に伸びた第２の突起部を有し、
前記レンズ保持筒の第２の突起部は、光軸方向と直交する径方向において、前記バリア筒のカム係合部と重なるように配置されている、ことを特徴とするレンズ鏡筒。
【請求項２】
前記レンズ保持筒は、前記カム環の外周に設けられ、前記バリア筒は、前記レンズ保持筒の外周に設けられ、前記カム係合部は、前記第１の突起部の内側に設けられ、前記レンズ保持筒の第２の突起部は、前記光軸方向と直交する径方向において、前記バリア筒のカム係合部よりも外側であって前記バリア筒のカム係合部と重なるように配置されていることを特徴とする請求項１に記載のレンズ鏡筒。
【請求項３】
前記レンズ保持筒の第２の突起部には、前記バリア筒の第１の突起部が挿通するように前記光軸方向に沿った切り欠き溝及び前記切り欠き溝を像面側で終端させる端部が設けられ、
前記レンズ保持筒の端部は、前記光軸方向と直交する径方向において、前記バリア筒のカム係合部よりも外側であって前記バリア筒のカム係合部と重なるように設けられていることを特徴とする請求項２に記載のレンズ鏡筒。
【請求項４】
前記レンズ保持筒には、前記第２の突起部と異なる位相にカム係合部を有し、
前記カム環の外周面には、前記レンズ保持筒のカム係合部と係合するレンズ保持筒用カム溝が設けられ、
前記バリア筒のカム係合部と前記レンズ保持筒のカム係合部は、前記レンズ鏡筒の周方向において、互いに異なる位相に設けられていることを特徴とする請求項１乃至３のいずれか１項に記載のレンズ鏡筒。
【請求項５】
前記バリア筒のカム係合部と前記レンズ保持筒のカム係合部は、前記光軸方向において、重なる位置に設けられていることを特徴とする請求項４に記載のレンズ鏡筒。
【請求項６】
前記レンズ鏡筒の周方向において、前記レンズ保持筒のカム係合部と同一の位相に前記レンズ保持筒の衝撃受け面と前記バリア筒の衝撃受け面が設けられており、撮影状態において、前記レンズ保持筒の衝撃受け面と前記バリア筒の衝撃受け面は、前記光軸方向から見た場合、重なっていることを特徴とする請求項４又は５に記載のレンズ鏡筒。
【請求項７】
請求項１乃至６のいずれか１項に記載のレンズ鏡筒を有することを特徴とする撮像装置。
【手続補正２】
【補正対象書類名】明細書
【補正対象項目名】０００８
【補正方法】変更
【補正の内容】
【０００８】
本発明の一側面としてのレンズ鏡筒は、回転駆動されるカム環と、前記カム環の外周に設けられ、レンズを保持するレンズ保持筒と、レンズバリアを保持するバリア筒とを有し、前記バリア筒には、筒部及び前記筒部から像面側に伸びた第１の突起部及び前記カム環のカム係合部に係合するカム係合部を有し、前記レンズ保持筒には、筒部及び前記筒部から像面側に伸びた第２の突起部を有し、前記レンズ保持筒の第２の突起部は、光軸方向と直交する径方向において前記バリア筒のカム係合部と重なるように配置されている。